【手続補正書】
【提出日】平成26年2月3日(2014.2.3)
【手続補正１】
【補正対象書類名】特許請求の範囲
【補正対象項目名】全文
【補正方法】変更
【補正の内容】
【特許請求の範囲】
【請求項１】
ストリンガ結合構造（１）への引き剥がし力を低減するストリンガ端部トリム（７）を有するストリンガであって：
ストリンガ本体であって、第１ストリンガフランジ（３）と、第２ストリンガフランジ（４）と、前記第１ストリンガフランジと前記第２ストリンガフランジとの間に延びるストリンガウェブ（５）とを備える、ストリンガ本体（９）と、
前記ストリンガ本体（９）に設けられるストリンガ自由縁部（８）と、
前記ストリンガウェブ（５）に設けられるストリンガ端部トリムであって、前記ストリンガ結合構造を形成する前記ストリンガ自由縁部に設けられる少なくとも１つの二重曲率部を有する前記ストリンガ端部トリム（７）と、
を備え、
前記二重曲率ストリンガ端部トリム（７）は、第１半径縁部（１０）と、第２半径縁部（１４）と、前記第１半径縁部と前記第２半径縁部を結ぶ半径変化部（１２）とを含む、ストリンガ。
【請求項２】
前記二重曲率ストリンガ端部トリム（７）は、２つの放物線状の半径縁部を有する、請求項１に記載のストリンガ。
【請求項３】
前記ストリンガ本体（９）は複合材料を含む、請求項１に記載のストリンガ。
【請求項４】
ストリンガの自由端部への応力集中を調整低減する方法であって：
ストリンガ自由端部を有するストリンガを設けるステップと、
少なくとも１つの曲率部を前記ストリンガ自由端部に設けるステップであって、第１半径縁部を前記ストリンガ自由端部に設けるステップと、第２半径縁部を前記ストリンガ自由端部に設けるステップと、半径変化部を前記ストリンガ自由端部に設け前記第１半径縁部と前記第２半径縁部を前記半径変化部で結ぶステップと、を備えるステップと、
を含む、方法。
【請求項５】
少なくとも１つの曲率部を前記ストリンガ自由端部に設ける前記ステップでは、少なくとも１つの半径縁部を前記ストリンガ自由端部に設ける、請求項４に記載の方法。
【請求項６】
前記第１半径縁部及び前記第２半径縁部の各半径縁部はそれぞれ、連続的に変化する半径を有する、請求項４に記載の方法。
【手続補正２】
【補正対象書類名】明細書
【補正対象項目名】００１５
【補正方法】変更
【補正の内容】
【００１５】
まとめると、本願発明の一つの観点によれば、
ストリンガ結合構造への引き剥がし力を低減するストリンガ端部トリムを有するストリンガであって：
ストリンガ本体と、
前記ストリンガ本体に設けられるストリンガ自由縁部と、
前記ストリンガ結合構造を形成する前記ストリンガ自由縁部に設けられる少なくとも１つの曲率部を有するストリンガ端部トリムと、
を備える、ストリンガが提供される。
有利には、前記ストリンガ本体は、第１ストリンガフランジと、第２ストリンガフランジと、そして前記第１ストリンガフランジと前記第２ストリンガフランジとの間に延びるストリンガウェブと、を備える、前記ストリンガ。
有利には、前記ストリンガ端部トリムは前記ストリンガウェブに設けられる、前記ストリンガ。
有利には、少なくとも１つの曲率部を有する前記ストリンガ端部トリムは、１つの半径縁部を有する１つの曲率ストリンガ端部トリムを含む、前記ストリンガ。
有利には、前記１つの半径縁部は、連続的に変化する半径を有する、前記ストリンガ。
有利には、前記１つの半径縁部は、１つの放物線状の半径縁部を含む、前記ストリンガ。
有利には、少なくとも１つの曲率部を有する前記ストリンガ端部トリムは、２つの曲率ストリンガ端部トリムを含む、前記ストリンガ。
有利には、前記２つの曲率ストリンガ端部トリムは、２つの放物線状の半径縁部を有する、前記ストリンガ。
有利には、前記２つの曲率ストリンガ端部トリムは、第１半径縁部と、第２半径縁部と、そして前記第１半径縁部と前記第２半径縁部を結ぶ半径変化部と、を含む、前記ストリンガ。
有利には、前記ストリンガ本体は複合材料を含む、前記ストリンガ。
本願発明の更に別の観点によれば、翼付け根リブと、
前記翼付け根リブによって支持されるストリンガ本体と、前記ストリンガ本体に設けられるストリンガ自由縁部と、そして前記ストリンガ自由縁部に設けられる少なくとも１つの半径縁部を有するストリンガ端部トリムと、を有するストリンガと、
前記翼付け根リブ及び前記ストリンガによって支持される翼外板パネルと、
を備える、翼／胴体結合構造が提供される。
【手続補正３】
【補正対象書類名】明細書
【補正対象項目名】００１６
【補正方法】変更
【補正の内容】
【００１６】
有利には、前記ストリンガ本体は、第１ストリンガフランジと、第２ストリンガフランジと、そして前記第１ストリンガフランジと前記第２ストリンガフランジとの間に延びるストリンガウェブと、を備える、前記翼／胴体結合構造。
【手続補正４】
【補正対象書類名】明細書
【補正対象項目名】００１７
【補正方法】変更
【補正の内容】
【００１７】
有利には、少なくとも１つの半径縁部を有する前記ストリンガ端部トリムは、１つの半径縁部を有する１半径方向ストリンガ端部トリムを含む、前記翼／胴体結合構造。
【手続補正５】
【補正対象書類名】明細書
【補正対象項目名】００１８
【補正方法】変更
【補正の内容】
【００１８】
有利には、前記１つの半径縁部は、連続的に変化する半径を有する、前記翼／胴体結合構造。
【手続補正６】
【補正対象書類名】明細書
【補正対象項目名】００１９
【補正方法】変更
【補正の内容】
【００１９】
有利には、少なくとも１つの半径縁部を有する前記ストリンガ端部トリムは、２半径方向ストリンガ端部トリムを含む、前記翼／胴体結合構造。
【手続補正７】
【補正対象書類名】明細書
【補正対象項目名】００２０
【補正方法】変更
【補正の内容】
【００２０】
有利には、前記２半径方向ストリンガ端部トリムは、第１半径縁部と、第２半径縁部と、そして前記第１半径縁部と前記第２半径縁部を結ぶ半径変化部と、を含む、前記翼／胴体結合構造。
【手続補正８】
【補正対象書類名】明細書
【補正対象項目名】００２１
【補正方法】変更
【補正の内容】
【００２１】
有利には、更に、前記ストリンガ本体によって支持されるストリンガキャップ継手を備える、前記翼／胴体結合構造。
本願発明の更に別の観点によれば、ストリンガの自由端部への応力集中を調整低減する方法であって：
ストリンガ自由端部を有するストリンガを設けるステップと、
少なくとも１つの曲率部を前記ストリンガ自由端部に設けるステップと、
を含む、方法が提供される。
有利には、少なくとも１つの曲率部を前記ストリンガ自由端部に設ける前記ステップでは、少なくとも１つの半径縁部を前記ストリンガ自由端部に設ける、前記方法。
有利には、少なくとも１つの曲率部を前記ストリンガ自由端部に設ける前記ステップでは、複数の半径縁部を前記ストリンガ自由端部に設ける、前記方法。
有利には、複数の半径縁部を前記ストリンガ自由端部に設ける前記ステップは、第１半径縁部を前記ストリンガ自由端部に設けるステップと、第２半径縁部を前記ストリンガ自由端部に設けるステップと、そして半径変化部を前記ストリンガ自由端部に設け、そして前記第１半径縁部と前記第２半径縁部を前記半径変化部で結ぶステップと、を含む、前記方法。
有利には、前記第１半径縁部及び前記第２半径縁部の各半径縁部はそれぞれ、連続的に変化する半径を有する、前記方法。
有利には少なくとも１つの曲率部を前記ストリンガ自由端部に設ける前記ステップでは、半径が連続的に変化する１つの半径縁部を前記ストリンガ自由端部に設ける、前記方法。
【手続補正９】
【補正対象書類名】明細書
【補正対象項目名】００２２
【補正方法】変更
【補正の内容】
【００２２】
本願発明の更に別の観点によれば、第１ストリンガフランジと、第２ストリンガフランジと、そして前記第１ストリンガフランジと前記第２ストリンガフランジとの間に延びるストリンガウェブと、を有する積層複合材ストリンガ本体と、
前記ストリンガウェブに設けられるストリンガ自由縁部と、
前記ストリンガ自由縁部に設けられ、かつ半径が連続的に変化する放物線状の第１半径縁部と、半径が連続的に変化する放物線状の第２半径縁部と、そして前記第１半径縁部と前記第２半径縁部を結ぶ凸状半径変化部と、を有する２半径方向ストリンガ端部トリムと、
を備える、ストリンガが提供される。
【手続補正１０】
【補正対象書類名】明細書
【補正対象項目名】００２３
【補正方法】変更
【補正の内容】
【００２３】
本願発明の更に別の観点によれば、翼付け根リブと、
前記翼付け根リブによって支持され、かつ第１ストリンガフランジと、第２ストリンガフランジと、前記第１ストリンガフランジと前記第２ストリンガフランジとの間に延びるストリンガウェブと、を含む積層複合材ストリンガ本体と、前記ストリンガウェブに設けられるストリンガ自由縁部と、そして前記ストリンガ自由縁部に設けられ、かつ半径が連続的に変化する放物線状の第１半径縁部と、半径が連続的に変化する放物線状の第２半径縁部と、そして前記第１半径縁部と前記第２半径縁部を結ぶ凸状半径変化部と、を有する２半径方向ストリンガ端部トリムと、を有するストリンガと、
前記翼付け根リブ、及び前記ストリンガの前記第１ストリンガフランジによって支持される翼外板パネルと、
前記ストリンガの前記第２ストリンガフランジによって支持されるストリンガキャップ継手と、
を備える、翼／胴体結合構造が提供される。
【手続補正１１】
【補正対象書類名】明細書
【補正対象項目名】００２４
【補正方法】変更
【補正の内容】
【００２４】
本願発明の更に別の観点によれば、ストリンガの自由端部への応力集中を調整低減する方法であって：
第１ストリンガフランジと、第２ストリンガフランジと、そして前記第１ストリンガフランジと前記第２ストリンガフランジとの間に、ストリンガ自由端部を前記ストリンガウェブに設けた状態で延びるストリンガウェブと、を含む積層複合材ストリンガ本体を有するストリンガを設けるステップと、
半径が連続的に変化する放物線状の第１半径縁部と、半径が連続的に変化する放物線状の第２半径縁部と、そして前記ストリンガ自由端部の前記第１半径縁部と前記第２半径縁部を結ぶ凸状半径変化部と、を有する２半径方向ストリンガ端部トリムを施すステップと、
翼付け根リブと、そして前記翼付け根リブによって支持される翼外板パネルと、を有する翼／胴体結合構造を設けるステップと、
前記ストリンガを前記翼／胴体結合構造に、前記ストリンガの前記ストリンガ本体を前記翼付け根リブ及び前記翼外板パネルに結合させることにより取り付けるステップと、
を含む、方法が提供される。
【手続補正１２】
【補正対象書類名】明細書
【補正対象項目名】００２５
【補正方法】変更
【補正の内容】
【００２５】
有利には、翼／胴体結合構造のストリンガへの剥離荷重を低減する方法であって：
ストリンガ自由端部を有するストリンガを設けるステップと、
少なくとも１つの半径縁部を前記ストリンガ自由端部に設けるステップと、
を含む、方法。
【手続補正１３】
【補正対象書類名】明細書
【補正対象項目名】００２６
【補正方法】変更
【補正の内容】
【００２６】
有利には、少なくとも１つの半径縁部を前記ストリンガ自由端部に設ける前記ステップは、複数の半径縁部を前記ストリンガ自由端部に設けるステップを含む、前記方法。
【手続補正１４】
【補正対象書類名】明細書
【補正対象項目名】００２７
【補正方法】変更
【補正の内容】
【００２７】
有利には、複数の半径縁部を前記ストリンガ自由端部に設ける前記ステップは、第１半径縁部を前記ストリンガ自由端部に設けるステップと、第２半径縁部を前記ストリンガ自由端部に設けるステップと、そして半径変化部を前記ストリンガ自由端部に設けて、前記第１半径縁部と前記第２半径縁部を前記半径変化部で結ぶステップと、を含む、前記方法。
【手続補正１５】
【補正対象書類名】明細書
【補正対象項目名】００２８
【補正方法】変更
【補正の内容】
【００２８】
有利には、前記第１半径縁部及び前記第２半径縁部の各半径縁部はそれぞれ、連続的に変化する半径を有する、前記方法。
【手続補正１６】
【補正対象書類名】明細書
【補正対象項目名】００２９
【補正方法】変更
【補正の内容】
【００２９】
有利には、少なくとも１つの半径縁部を前記ストリンガ自由端部に設ける前記ステップは、半径が連続的に変化する１つの半径縁部を前記ストリンガ自由端部に設けるステップを含む、前記方法。